(57)【要約】【課題】  金属製のメガネフレームであって、着用することで肌はみずみずしくて潤いが与えられ、シミ、ソバカスを防ぐことが出来るメガネフレームの提供。【解決手段】  その表面に樹脂層８を形成し、該樹脂層８には、天然繊維である絹糸を構成するフィブロインと言う絹糸本体表面を取囲んでいるセリシンと称される物質を含浸している。【選択図】    図２
2005250226.tif 000002
【特許請求の範囲】
【請求項１】
金属製のメガネフレームにおいて、その表面に樹脂層を形成し、該樹脂層には、天然繊維である絹糸を構成するフィブロインと言う絹糸本体表面を取囲んでいるセリシンと称される物質を含浸したことを特徴とするメガネフレーム。
【請求項２】
樹脂製のメガネフレームにおいて、天然繊維である絹糸を構成するフィブロインと言う絹糸本体表面を取囲んでいるセリシンと称される物質を含浸したことを特徴とするメガネフレーム。
【請求項３】
金属製のメガネフレームにおいて、その表面に樹脂層を形成し、該樹脂層は、天然繊維である絹糸を構成するフィブロインと言う絹糸本体表面を取囲んでいるセリシンと称される物質を樹脂に混入して塗布したことを特徴とするメガネフレーム。
【請求項４】
樹脂製のメガネフレームにおいて、その表面に別の樹脂層を形成し、該樹脂層は、天然繊維である絹糸を構成するフィブロインと言う絹糸本体表面を取囲んでいるセリシンと称される物質を樹脂に混入して塗布したことを特徴とするメガネフレーム。
【発明の詳細な説明】
【技術分野】
【０００１】
本発明はセリシンを含有することで、肌に潤いを与え、シミやソバカスを防止し、又紫外線を吸収することが出来るメガネフレームに関するものである。
【背景技術】
【０００２】
メガネは顔にかける為にファッション性が高く、その為に色々な装飾が施されている。軽くて掛け易いことは勿論であるが、1つの装飾品としての効果があり、金属製のメガネフレームでは非常に細い線材が使用されてスリムなメガネを形作っている。又、表面をメッキしたり、塗装する等の2次加工が施される場合も多い。
【０００３】
樹脂製のメガネフレームの場合には、その外観形状は元より、表面に図形や模様を印刷したり、又は射出成形された部品でなくて大きな板材や棒材から削り出して加工した部品を用いてメガネフレームを構成する場合もある。すなわち、フレーム自体を異なる色彩樹脂で構成することで、鮮やかで高級感のある樹脂製メガネフレームが得られる。
【０００４】
しかし、近年では従来の装飾性に加えて健康増進に役立つ為の機能を備えたメガネが要求され、一部では商品化されているものもある。最も代表的な機能性メガネとして遠赤外線を放射するように構成したメガネであるが、従来の遠赤外線放射メガネは放射される遠赤外線が少なく、実際には期待する効果を得ることは出来ない。すなわち、遠赤外線を放射するとされる物質は一般に高温状態に加熱されなくてはならず、単にメガネを顔に掛けるだけでは体温に達する温度が限界となる。
【０００５】
物質から放射されるエネルギーＥは一般に
Ｅ＝σＴ4  で表わされる。    (σ：ポルツマン定数、Ｔ：絶対温度)
上記式から明らかなように、物質から放射される遠赤外線放射エネルギーは絶対温度Ｔの４乗に比例することになる。従って、物質温度が高いと累加的に増加し、逆に温度が低いならば急激に減少する。このことから、従来の遠赤外線放射物質をそのままメガネフレームに利用したとしても、その遠赤外線放射エネルギーは極めて少なく、その効果を期待することが出来ない。
【０００６】
同じことがマイナスイオンの場合にも当てはまる。最近マイナスイオンが身体に与える影響が注目されているが、今日のように高度に文明化された社会では何処にいてもプラスイオンが多く、プラスイオンを浴びることで身体の健康に悪影響が出てくる。具体的には交換神経に作用して血圧を高め、睡眠を阻害し、血流に障害をもたらす等、多くのマイナス要因を与えている。その為には、マイナスイオンを人為的に身体に浴びることが必要となるが、このマイナスイオンもセラミック等から多く放射されると言われているが、温度が低い場合には遠赤外線放射の場合と同じく、その放射量は極めて少ない。
【０００７】
特開２００３−２３０６３４号に係る「マイナスイオン放射メガネ及びその部品」は、マイナスイオンを放射するメガネにおいて、該メガネを構成する樹脂製部品の内部にはマイナスイオン放射パウダーを混合していて、該マイナスイオン放射パウダーは、セラミックマイナスイオン放射物質のパウダーと、自然放射性元素の酸化トリウムの含有量として換算して０．３〜２．０重量％以下に調整したモナザイトのパウダーとを共に１０μ以下の平均粒子径としてなる混合物を焼成し、複合化したことを特徴とするマイナスイオン放射メガネである。
【０００８】
一方、近年の情報化時代の影響で生活様式も大きく変化し、ビジネスマンやＯＬは勿論のこと、学生であっても大半が携帯電話機を所持して何処にいても連絡をとることが出来る。又オフィスでは事務処理の効率化を図る為に、コンピュータが置かれ、毎日の仕事は該コンピュータに向かって行う時間が非常に長くなっている。
【０００９】
今後、情報化が益々進むにつれてこの傾向は拡大すると考えられ、これらコンピュータと付合い、又携帯電話機を所持して仕事に追われることで肉体的な疲れだけでなく、精神的なストレスが高くなる。一方、コンピュータの画面からは電磁波が放射され、近くで常時画面を眺めることで健康面の悪影響があるとも言われている。又、携帯電話機から放射される電磁波も同じく健康を害するとも言われ、発ガンの原因になる可能性を示唆する人もいる。
【００１０】
しかし、コンピュータや携帯電話機なくして今日の情報化社会に入り込むことは出来ず、これら情報機器からもたらされる電磁波等の悪影響を何らかの方法にて排除する必要がある。金属製のメガネフレームはそれ自体電導性を備えているが、耐食性並び装飾性を考慮して該表面にはメッキや塗装等の二次加工が施される為に電導性が損われてしまい、電磁波を吸収する機能が失われる。勿論、樹脂製のメガネフレームでは電導性は備わっていない。
【００１１】
特開２００２−３１１３９０号に係る「備長炭入りメガネ部品及びその製造方法」に係るメガネ部品は、射出成形されるメガネフレームの樹脂製部品において、材料となるペレットには適量の備長炭微粉末を混入して成形し、この微粉末を成形部品の表面及び内部に点在したことを特徴とする備長炭入りメガネフレーム部品。
【特許文献１】特開２００３−２３０６３４号に係る「マイナスイオン放射メガネ及びその部品」
【特許文献２】特開２００２−３１１３９０号に係る「備長炭入りメガネ部品及びその製造方法」
【発明の開示】
【発明が解決しようとする課題】
【００１２】
本発明が対象とするメガネは上記マイナスイオンや電磁波防止とは異なり、かけることで肌に潤いを与え、シミやソバカスを防止することが出来、そして紫外線を遮蔽することで、特に美容に効果のあるメガネを提供する。
【課題を解決するための手段】
【００１３】
本発明に係るメガネはシルクセリシンを含有して構成したものである。シルクセリシンとは、天然繊維である絹糸の表面にはセリシンと称される物質がフィブロインと言う絹糸本体を取囲むように繊維を構成している。このセリシンは従来絹糸を染色する際、精錬工程で剥され、排水として流されていた訳であるが、該精錬工程が無いと、絹糸に染料が浸透しなく絹糸独特の発色性としなやかさが出ない。しかし、該セリシンは絹糸を覆っているアミノ酸タンパク質で人の肌に含まれる成分に極めて近い組成であり、次のような作用・効果がある。
(１)保湿機能
セリシンは肌や髪の毛に吸着性が高く、肌に浸透して潤いを保つことが出来る。絹糸から抽出される高純度のセリシンは保湿性が非常に高いセリンが３３％も含まれ、このセリンの作用でセリシンは肌への浸透率が高くて潤いを与えることが出来る。
(２)抗酸化作用
セリシンは活性酸素の働きを抑える能力はビタミンＣと同じレベルであり、シワやシミなどの皮膚の老化を防ぐ作用がある。日焼け、皮膚に対する様々な刺激、老化によるメラニン色素の生合成に関する「チロシナーゼ」を阻害することにより、シミ、ソバカスを防ぐ効果がある。すなわち、シミやソバカスなどの原因であるメラニン色素の発生を助ける「チロシナーゼ」を阻害することが出来る。
(３)紫外線吸収機能
セリシンは、紫外線を吸収する性質を備えている。人体に最も有害とされている波長３００〜２００ＮＭの紫外線の透過率のみが急激に下がることになる。これは、絹糸を作るカイコが厳しい自然環境の中で生き抜こうとすることで、獲得した生理機能に基づくものであるとされる。
【００１４】
ところで、このセリシンの作用・効果をメガネに与えるには、色々な方法が考えられるが、フレームやレンズ表面にコーティングしたり、塗料に混入してこれをフレーム表面に塗布することが出来る。又、樹脂フレームであれば、表面層に含浸することが可能であり、金属製フレームの場合には表面に樹脂層を成形すると共に、該樹脂層に含浸することが出来る。
【発明の効果】
【００１５】
本発明のメガネはセリシンを樹脂と共にコーティングしたり、樹脂層に含浸したり、又は塗布して構成している為に、該メガネを掛けることでセリシンの効果を得ることが出来る。すなわち、保湿機能に基づいて肌はみずみずしくて潤いが与えられる。そしてセリシンはコラーゲンより長時間にわたって保湿され、みずみずしい肌を長時間持続することが出来る。
【００１６】
又、セリシンの抗酸化作用にて、シワやシミなどの皮膚の老化を防ぐことが出来る。すなわち、日焼け、皮膚に対する様々な刺激、老化によるメラニン色素の生合成に関する「チロシナーゼ」を阻害することにより、シミ、ソバカスを防ぐ効果がある。さらに、セリシンの紫外線吸収機能にて、該メガネを掛けることで人体に最も有害とされている波長３００〜２００ＮＭの紫外線の透過率のみが急激に下がり、顔に当る紫外線を遮蔽することが出来る。
【実施例】
【００１７】
図１は一般的なメガネを示しているが、本発明では表面にセリシンを含有した樹脂層を形成している。メガネはフロント部１の両側に設けているヨロイ２，２に継手を介してツル３，３が折畳み出来るように取付けられ、ツル先端部には概略Ｌ形をしたモダン４，４を有している。そして、フロント部１は両リム５，５が連結部材６にて連結され、リムの内側であって連結部材６の下側には鼻当てパット７，７が取付けられ、リム５，５にはレンズが嵌っている。
【００１８】
図２はツル３の部分断面拡大図を示しているが、表面には樹脂層８が形成され、この樹脂層８にはセリシンが含まれている。このセリシンは図３に断面拡大図を示しているように、絹糸の表面にフィブロインと言う絹糸本体を取囲むような構造の繊維を構成している。このセリシンは従来絹糸を染色する際、精錬工程で剥されて排水として流されていた訳であって、この精錬廃液中に含まれているセリシンをろ過して回収することが出来る。
【００１９】
本発明ではセリシン回収のろ過方法は限定しないが、膜分離法の１つである限外ろ過は分子量が１００〜３０万程度の高分子を対象とし、精錬廃液中に含まれているイオン性物質や低分量物質などの不要部分(通過液)と、目的物質であるセリシンを分離し、セリシンのみを凝縮することが出来る。本発明はこのような方法で回収したセリシンを上記樹脂に混合して図２に示しているようにツル３の表面に塗布して樹脂層８が形成される。
【００２０】
ここで、樹脂に対してのセリシンの重量比は０．５％〜１０％とし、セリシンが表面に存在するメガネが出来上がり、該メガネを掛けることで保湿機能に基づいて肌がみずみずしく潤い、抗酸化作用によってシミやソバカスの発生を防止し、紫外線吸収機能にて人体に最も有害とされている波長３００〜２００ＮＭの紫外線の透過率のみが急激に下がる。
【００２１】
ところで、上記樹脂層８にセリシンを含有する手段として、セリシンを混入した樹脂をツル表面に塗布する場合に限らず、セリシンを含まない樹脂を塗布して樹脂層８を形成し、この樹脂層８にセリシンを含浸することも可能である。樹脂層８を表面に形成したメガネフレームを、セリシンを溶融したアルコール液に漬すことで、該樹脂層内部にセリシンが含浸される。
【００２２】
前記図1に示したメガネフレームは金属製フレームであるが、樹脂製フレームの場合にも同じようにセリシンを含有した樹脂層を形成することが可能である。すなわち、樹脂フレーム面にセリシンを混入した樹脂を塗布することが出来、又は樹脂フレームをセリシン溶融アルコールに浸すことで、表面層にセリシンを含浸することが出来る。
【図面の簡単な説明】
【００２３】
【図１】一般的な金属製メガネ。
【図２】ツルの断面拡大図。
【図３】絹糸断面拡大図。
【符号の説明】
【００２４】
１  フロント部
２  ヨロイ
３  ツル
４  モダン
５  リム
６  連結部材
７  鼻当てパット
８  樹脂層
【図１】
2005250226.tif 000003
【図２】
2005250226.tif 000004
【図３】
2005250226.tif 000005